(57)【要約】ユーザ装置(202; 302, 303, 304)にページングメッセージ(PAGING_MESSAGE)を送信するように構成された回路を具備するインフラ機器(200; 300)であって、上記ページングメッセージ(PAGING_MESSAGE)は、上記インフラ機器(200; 300)が上記ユーザ装置(202; 302, 303, 304)にシステム情報(Umbrella_SIB)を送信することを、上記ユーザ装置(202; 302, 303, 304)に通知するために提供される情報(Network_Push_SIB_Information)を含む。【選択図】図４
2021514586.tif 000002
【特許請求の範囲】
【請求項１】
ユーザ装置にページングメッセージを送信するように構成された回路を具備するインフラ機器であって、
前記ページングメッセージは、前記インフラ機器が前記ユーザ装置にシステム情報を送信することを、前記ユーザ装置に通知するために提供される情報を含む
インフラ機器。
【請求項２】
請求項１に記載のインフラ機器であって、
前記回路は、RRC休止状態にある前記ユーザ装置に前記ページングメッセージをブロードキャストするように構成される
インフラ機器。
【請求項３】
請求項１に記載のインフラ機器であって、
前記回路は、RRCアイドル状態にある前記ユーザ装置に前記ページングメッセージをブロードキャストするように構成される
インフラ機器。
【請求項４】
請求項１に記載のインフラ機器であって、
前記回路は、RRC接続状態にある前記ユーザ装置に前記ページングメッセージをブロードキャストするように構成される
インフラ機器。
【請求項５】
請求項１に記載のインフラ機器であって、
前記情報は、サービス表示情報を含む
インフラ機器。
【請求項６】
請求項１に記載のインフラ機器であって、
前記情報は、SIB構造情報を含む
インフラ機器。
【請求項７】
請求項１に記載のインフラ機器であって、
前記情報は、SIB有効期間情報を含む
インフラ機器。
【請求項８】
請求項１に記載のインフラ機器であって、
前記情報は、ブロードキャスト期間情報を含む
インフラ機器。
【請求項９】
請求項１に記載のインフラ機器であって、
前記情報は、ターゲットリスト情報を含む
インフラ機器。
【請求項１０】
請求項１に記載のインフラ機器であって、
前記回路は、前記ユーザ装置に、前記ページングメッセージ内の前記前記情報に対応するシステム情報を送信するように構成される
インフラ機器。
【請求項１１】
請求項１に記載のインフラ機器であって、
前記回路は、包括的なSIBの形式でシステム情報を送信するように構成される
インフラ機器)。
【請求項１２】
請求項１１に記載のインフラ機器であって、
前記包括的なSIBは、新しいサービスに関連するシステム情報を含む
インフラ機器。
【請求項１３】
インフラ機器からページングメッセージを受信するように構成された回路を具備する電子デバイスであって、
前記ページングメッセージは、前記インフラ機器が前記電子デバイスにシステム情報を送信することを、前記電子デバイスに通知するために提供される情報を含む
電子デバイス。
【請求項１４】
請求項１３に記載の電子デバイスであって、
前記電子デバイスがRRC休止状態にある
電子デバイス。
【請求項１５】
請求項１３に記載の電子デバイスであって、
前記回路は、前記ページングメッセージ内の前記前記情報に対応するシステム情報を受信するように構成される
電子デバイス。
【請求項１６】
請求項１３に記載の電子デバイスであって、
前記回路は、包括的なSIBの形式でシステム情報を受信するように構成される
電子デバイス。
【請求項１７】
請求項１３に記載の電子デバイスであって、
前記電子デバイスは、無人航空機である
電子デバイス。
【請求項１８】
インフラ機器からユーザ装置にページングメッセージを送信することを含む方法であって、
前記ページングメッセージは、前記インフラ機器が前記ユーザ装置にシステム情報を送信することを、前記ユーザ装置に通知するために提供される情報を含む
方法。
【発明の詳細な説明】
【技術分野】
【０００１】
本開示は、概して、モバイル通信システムのエンティティおよびユーザ機器に関する。
【背景技術】
【０００２】
いくつかの世代のモバイル通信システムが知られている。例えば、International Mobile Telecommunications-2000（IMT-2000）仕様に基づく第3世代（「3G」）、International Mobile Telecommunications-Advanced Standard（IMT-Advanced Standard）で定義されている機能を提供する第4世代（「4G」）、および、現在開発中で2020年に実用化される可能性がある第5世代（「5G」）が知られている。
【０００３】
5Gの要件を提供する候補は、いわゆるLong Term Evolution（「LTE」）である。LTEは、携帯電話とデータ端末との高速データ通信を可能にする無線通信技術であり、すでに4Gモバイル通信システムに使用されている。
5G要件を満たす他の候補は、新しい無線アクセス技術システム（New Radio Access Technology Systems , NR）と呼ばれる。LTEが前世代のモバイル通信技術に基づいていたのと同様に、NRは、LTE技術に基づいている。
【０００４】
LTEは、第2世代（「2G」）のGSM / EDGE（「モバイル通信用のグローバルシステム」/「Enhanced Data rate for GSM Evolution」EGPRSとも呼ばれる）、および、第3世代「3G」ネットワーク技術のUMTS / HSPA（「Universal Mobile Telecommunications System」/「高速パケットアクセス」）に基づいている。
【０００５】
LTEは、3GPP（「第3世代パートナーシッププロジェクト」）の管理下で標準化されている。3GPPの管理下で標準化されているLTEを基盤として、より高いデータレートを可能にする後継のLTE-A（LTE Advanced）が存在する。
【０００６】
3GPPは今後、LTE-Aをさらに開発して、5Gの技術要件を満たすことができるようにされる予定である。5Gシステムは、LTEまたはLTE-Aのそれぞれに基づいているため、5G技術の特定の要件は、基本的に、LTEおよびLTE-Aの標準ドキュメンテーションですでに定義されている機能および方法によって処理されると想定される。
【０００７】
無線およびモバイル通信の分野で働く人々が関心を持っている現在の技術分野は、「モノのインターネット」または略してIoT、および「マシンツーマシン通信」（M2M）、またはマシンタイプコミュニケーション（MTC）として公知である。
3GPPは、LTEまたは4G無線アクセスインターフェースおよび無線インフラを使用して、狭帯域 (NB)-IoTをサポートする技術の開発を提案している。そのようなIoTデバイスは、複雑さが低く、比較的低帯域幅のデータの頻繁な通信を必要としない安価なデバイスであることが期待されている。
また、無線通信ネットワークのセル内でサポートする必要がある非常に多くのIoTデバイスが存在するようになることも予想される。
【０００８】
無人航空機（UAV）（より一般的には「ドローン」と呼ばれる）は、例えば人間のオペレータによるリモート制御下、または、オンボードのマイクロコントローラによる自律制御など、さまざまな程度の自律性で動作する航空機である。
ドローンのリモート制御は、規制方式での携帯電話ネットワークの使用に基づく場合がある。その結果、ドローン用の携帯電話通信のサポートが予測される。
【０００９】
通常、LTEおよびNRでは、システム情報要素は、システム情報ブロック（SIB）としてブロードキャストされる。システム情報ブロックは、同じ性質のシステム情報要素をグループ化する。
【００１０】
3GPP Tdoc R2-1711510、3GPP TSG-RAN WG2会議＃99 bis、プラハ、チェコ共和国、2017年10月9〜13日：「UEモビリティにおけるSIの専用信号」基線ハンドオーバー手順中のシステム情報（SI）の転送について議論されている。
ネットワークが専用信号によってSIをUEにプッシュするシナリオが言及されている。UEモビリティの場合にも完全なシステム情報ブロック（SIB）を送信し、ハンドオーバー命令におけるターゲットセルで使用されるSIに関する情報を含むことが提案されている。
さらに、3GPP Tdoc R2-1711510によれば、ソースノードがオンデマンドのSIに関する情報を、ターゲットノードに提供して、ハンドオーバー中にそのようなSIをターゲットノードが提供できるようにすることが提案されている。オンデマンドのSI要求の転送は、主にUEから開始されるが、その一方で、ネットワーク側が追加のSIを有し、UEにプッシュされる状況があり得る。
【００１１】
この背景を考慮して、UE用の効率的なシステム情報（SI）配信が必要とされる。
【発明の概要】
【００１２】
本発明の第１の態様によれば、本開示は、ユーザ装置にページングメッセージを送信するように構成された回路を備えるインフラ機器を提供する。上記ページングメッセージは、上記インフラ機器が上記ユーザ装置にシステム情報を送信することを上記ユーザ装置に通知するために提供される情報を含む。
【００１３】
本発明のさらなる一態様によれば、本開示は、インフラ機器からページングメッセージを受信するように構成された回路を具備する電子デバイスを提供する。上記ページングメッセージは、上記インフラ機器がユーザ装置にシステム情報を送信することを上記電子デバイスに通知するために提供される情報を含む。
【００１４】
本発明のさらなる一態様によれば、本開示は、インフラ機器からユーザ装置にページングメッセージを送信することを含む方法を提供する。上記ページングメッセージは、上記インフラ機器が上記ユーザ装置にシステム情報を送信することを上記ユーザ装置に通知するために提供される情報を含む。
【００１５】
さらなる複数の態様が、従属請求項、以下の説明および図面に示されている。
【図面の簡単な説明】
【００１６】
本発明の実施形態は、添付図面を参照して例として説明される。
【００１７】
【図１】（a）は、LTE RRCの状態図を示す。（b）は、5G New Radio(5GNR)におけるRRCの状態図を示す。
【図２】陸地UEのセルカバレージ用のネットワークアーキテクチャを示す。
【図３】UAVの航空セルカバレージ用のネットワークアーキテクチャを示す。
【図４】システム情報のネットワークプッシュ（転送）に使用されるメッセージフローを概略的に示す。
【図５】本発明の一実施形態に係るページングメッセージの内容を示す。
【図６】本発明の一実施形態に係る情報要素Paging_record_listを示す。
【図７】本発明の一実施形態に係る情報要素Network_Push_SIB_informationを示す。
【図８】本発明の一実施形態に係る情報要素SIB_MappingInfoを示す。
【図９】（a）は、SIがいつ、どのくらい長く提供されるかに関する情報を含むSIB_Broadcast_timing IEの一実施形態を示す。（b）は、SIがいつ、どのくらい長く提供されるかに関する情報を含むSIB_Broadcast_timing IEのさらなる一実施形態を示す。
【図１０】Target_UE_Listの実施形態を示す。
【図１１】複数の包括的なSIBの送信に関連する情報要素Network_Push_SIB_informationを示す。
【図１２】ネットワーク/eNB/gNBプッシュシステム情報（SI）のプロセスを示す。
【図１３】UEがページングメッセージを受信する過程を示す。
【図１４】UEとeNB/gNBとの間の通信経路の概略ブロック図を示す。
【図１５】UEまたはeNB/gNB用のコントローラの一実施形態を示す。
【発明を実施するための形態】
【００１８】
図１を参照して本発明の実施形態を詳細に説明する前に、一般的な説明を行う。
【００１９】
本発明の実施形態は、ページングメッセージをユーザ装置に送信するように構成された回路を備えるインフラ機器を開示し、ページングメッセージは、インフラ機器がシステム情報をユーザ装置に送信することをユーザ機器に通知するように提供されることを含む。
インフラ機器は、基地局、コアネットワークのエンティティのようなネットワーク要素、拡張NodeB（eNodeBまたはeNB）、調整エンティティなどであり、無線アクセスインターフェースを、カバレッジエリアまたはセル内の１台以上の通信デバイスに提供することができる。インフラ設備は、例えば、新しい無線アクセス技術（RAT：Radio Access Technology）システムのエンティティ、次世代のNodeB（gNB）などの電気通信システムの任意のエンティティである。
【００２０】
ユーザ装置（UE）は、エンドユーザまたは端末に関連する任意のデバイスであり、例えばUniversal Mobile Telecommunications System（UMTS）および3GPP Long Term Evolution（LTE、またはaLTE）システムで通信する。UEは、LTEのようなレガシーシステムやその他の進歩に加えて、新しい無線アクセス技術システム（RAT）をサポートする。ユーザ機器（UE）は、マシンタイプコミュニケーション（MTC）端末でもある。
【００２１】
ユーザ装置（UE）は、特に、空中のＵＥであってもよい。空中のUEとは、例えば、航空機内部に、航空機上に、または航空機において提供されるUEである。航空装置は、例えば無人航空機（UAV）（「ドローン」）、または、例えば人間のオペレータによるリモート制御下、オンボードのマイクロコントローラによる自律制御下などの様々な程度の自律性で動作する航空機である。
【００２２】
空中のＵＥは、無線アクセスインターフェースを使用してデータを表す信号の送受信を介してデータを通信するように構成されたモバイル通信デバイスである。本出願のコンテキストでは、「空中のUE」という用語は、デバイスのオペレータ（または「ユーザ」）が位置決めされる必要がないか、または、デバイスの近くにいることなく、空中のデバイスとして自律または半自律で動作している電子デバイスにも使用される。
したがって、「ユーザ装置（UE）」という用語は、ユーザから離れた場所にある装置にも関連する。
【００２３】
インフラ機器の回路は、プロセッサ、マイクロプロセッサ、専用回路、メモリ、ストレージ、無線インターフェース、ネットワークインターフェースなどのうちの少なくとも１つ、例えばeNodeBのような基地局に含まれる典型的な電子部品を含む。
【００２４】
インフラ機器の回路は、例えば、ターゲット基地局から受信された支援情報を、RRC接続再設定メッセージ内のUEに配信するように構成される。RRC接続再設定メッセージは、RRC接続を変更するコマンドである。RRC接続再設定メッセージの目的は、例えば、無線ベアラを確立／変更／解放して、ハンドオーバー（ハンドオーバーコマンド）を実行することである。
【００２５】
インフラ機器は、専用信号（ネットワークプッシュ）によって、つまりRRC休止状態へのモビリティおよび移行がない方法で、UEへの特定のSIの転送を開始する。SIが主にUEの要求に従って配信されるLTEおよび5G New Radio（5GNR）のオンデマンドのSIとは対照的に、ページングメッセージによって、eNB / gNBは、新しいサービスを展開した後に、最初にシステム情報（例えば包括的なSIB）の送信を開始する。
【００２６】
移動通信システムは、2G、3G、LTE、または5G New Radio（5GNR）である。システム情報（SI）は、論理チャネルBCCHを介してeNB / gNBによってブロードキャストされる。この論理チャネル情報は、例えば、トランスポートチャネルBCHを介してさらに運搬されるか、または、DL-SCHによって運搬されてもよい。システム情報は、SIコンテナにグループ化されたブロック（SIB）の形式で送信される。
SIBは、例えば、DL-SCHにマッピングされるBCCHを使用して送信され、DL-SCHは、次にPDSCHにマッピングされる。システム情報は、例えば、BCCHの変更期間ごとに変更されてもよい。
【００２７】
インフラ機器の回路は、例えば、RRC休止状態でページングメッセージをユーザ装置にブロードキャストするように構成される。
【００２８】
位置測位支援システム情報の場合、ネットワークは、関連する更新された情報、または、新しい位置測位方式に関連する情報を、UEにプッシュ（転送）する必要がある。この更新された情報は、RRC接続状態、RRCアイドル状態、またはRRC休止状態に関係なく、すべてのUEに影響を与える。
【００２９】
インフラ機器の回路は、例えば、RRCアイドル状態においてユーザ装置にページングメッセージをブロードキャストするように構成されてもよい。
インフラ機器の回路は、例えば、RRC接続状態においてユーザ装置にページングメッセージをブロードキャストするように構成されてもよい。
【００３０】
ページングメッセージは、新しい包括的なSIBがスケジュールどおりであることをUEに通知し、ページングメッセージ内の1ビットは、以前に保存されたプッシュSIを無効にすることを示す。
【００３１】
ページングメッセージの情報は、サービス表示情報を含む。SIBサービス表示は、包括的なSIBとしてプッシュされたシステム情報が関連する特定のサービスを示す目的を有する。このSIBサービス表示は、例えば、既知のSIB構造を指す識別子である。
SIBサービス表示は、例えば、位置測位支援情報であり、ネットワークは、関連する更新された、または、さらに新しい位置測位方式の関連情報をUEにプッシュする必要がある。更新された情報は、RRC接続状態、RRCアイドル状態、またはRRC休止状態に関係なく、すべてのUEに影響を与える。
【００３２】
ページングメッセージの情報は、SIB構造情報を含む。このSIB構造情報は、SIB構造をUEに示す目的を有する。例えば、LTEと5GNRとでは、SIが、様々な事前定義されたSIB（例えばSIB1からSIB21）として構成されることが想定される。
包括的なSIBの送信について通知するために使用されるページングメッセージは、１つまたはいくつかのこれらの事前定義されたSIBに対応するビットマップ形式のSIB構造情報を含む。
【００３３】
ページングメッセージの情報は、SIB有効期間情報を含む。このSIB有効期間情報は、SIBの有効期間を示す目的を有する。SIB有効期間情報は、例えば、SIが有効であり続ける期間の情報である。
SIB有効期間情報は、ネットワークが、SIBのサービスと対応するSIとを管理するための最大限の柔軟性を提供する。このように、包括的なSIBは、動的または一時的に提供される。
【００３４】
インフラ機器は、例えばアンテナ構成やネットワーク負荷などに応じて、このサービスを動的にアクティブ化／非アクティブ化することを選択することができる。
【００３５】
さらに、インフラ機器は、いくつかの要因に応じて、定義された期間内に特定のサービスを提供することのみを望む場合がある。例えば、トラフィック負荷が低い場合などにのみ、ネットワークが、VR（仮想現実）サービスを提供したい場合がある。
【００３６】
インフラ機器は、一定期間サービスをアクティブ化できる。例えば、ネットワークの負荷が低いなどの場合にのみ、インフラ機器はVRサービスを提供することができ、または、包括的なSIBが、事前定義された期間において有効であることができる。
包括的なSIBは、ページング通知の有効期間および包括的なSIBの送信期間の情報を提供することで、この要件に対処することができる。
【００３７】
ページングメッセージの情報は、ブロードキャストタイミング情報を含んでもよい。このブロードキャストタイミング情報は、SIがいつ、どれくらい長く提供されるか、または、提供時間を示す目的を有する。
この提供時間は、SIBのネットワークブロードキャストがいつ開始するかの指示であってもよい。ブロードキャストタイミング情報は例えば、ページングメッセージのブロードキャストライブ時間、または、インフラ機器が包括的なSIBを送信し始めるときを示す時間とすることができる。
【００３８】
ページングメッセージの情報は、ターゲットリスト情報を含むことができる。このターゲットリスト情報は、情報が送信されるターゲットUE/UAVを示す目的を有する。ターゲットリスト情報は例えば、UEのIDリストであってもよい。
【００３９】
インフラ機器の回路は例えば、ページングメッセージ内の情報に相当するシステム情報をユーザ装置に送信するように構成される。
【００４０】
包括的なSIB／プッシュSIBはセル固有のものであってもよく、したがって、特別なサービス関連のSIを配信したいセルのみが、送信を開始する。セル内のすべての休止状態のUEに対処するために、ページングメッセージは、ページングオケージョンのたびに送信されてもよい。
【００４１】
インフラ機器の回路は、システム情報(SIB)を包括的なSIBの形式で送信するようにさらに構成されてもよい。
【００４２】
システム情報（例えば、包括的なSIB）は例えば、ブロードキャストチャネルで送信されてもよい。
【００４３】
プッシュSIは例えば、通常のSIBとして送信されてもよく、例えば、包括的なSIBの送信用のスケジューリング情報は、SIB1に含まれてもよく、包括的なSIBの送信は、それに応じてスケジューリングされてもよい。デルタ信号がサポートされてもよい。
【００４４】
したがって、インフラ機器は、包括的なSIBの送信を最初に開始するように構成され得る。
【００４５】
包括的なSIBは例えば、新しいサービスに関連するシステム情報を含む。
【００４６】
ネットワークが新しいサービス、例えば、MBMS、D2D、VRなどをサポートするとき、新しいシステム情報ブロックがそれに応じて追加される。このような動作を最適化するために、新しいシステム情報ブロック(包括的なSIB/プッシュSIB)が導入される。そして、このシステム情報ブロックは、ネットワークによって新たに配備されたサービスに対応する任意の新しいシステム情報を収容することができる。
【００４７】
プッシュSIは、スライスにも同様に適用可能である。各スライスはいくつかのサービスを含むことができ、その場合、複数のSIBが含まれる。したがって、複数のSIB情報を1つのページング通知に含めるか、複数のページングメッセージで送信するかは、ネットワークの実装次第である。
【００４８】
新しいサービスは例えば、上位互換性用のサービス／オペレーションであってもよい。包括的なSIBは、さらなる情報を提供することによって、将来導入されるサービス用の新しいシステム情報を収容することができる。
【００４９】
インフラ機器は、新たなサービスが起動されるたびに1つのSIBを追加しなくてもよく、その代わりに、すべての新たなサービス関連システム情報に対処するために、上位互換性があり、一般化されたSIBが設計されてもよい。
【００５０】
また、本実施形態は、インフラ機器からページングメッセージを受信するように構成された回路を備える電子デバイスを開示し、ページングメッセージは、インフラ機器がユーザ装置にシステム情報を送信することを電子デバイスに通知するために提供される情報を含む。
【００５１】
電子デバイスは、RRC休止状態にあってもよい。
電子デバイスは、RRCアイドル状態またはRRC接続状態にあってもよい。
【００５２】
電子デバイスの回路は、ページングメッセージ内の情報に対応するシステム情報を受信するように構成され得る。
電子デバイスの回路は、包括的なSIBの形式でシステム情報(SIB)を受信するようにさらに構成され得る。
電子デバイスは、無人航空機であってもよい。
【００５３】
また、本実施形態は、インフラ機器からユーザ装置にページングメッセージを送信することを含む方法を記載し、このページングメッセージは、インフラ機器がシステム情報をユーザ装置に送信することをユーザ装置に通知するために提供される情報を含む。
また、本実施形態は、コンピュータおよび／または回路上で実行されるときに、プロセッサおよび／または回路に上述の方法を実行させるコンピュータプログラムを記載する。
【００５４】
また、本実施形態は、コンピュータおよび／または回路上で実行されるときに、プロセッサおよび／または回路に上述の方法を実行させるコンピュータプログラム製品を記憶する非一時的なコンピュータ可読記録媒体を記載する。
（RRC休止状態）
【００５５】
無線リソース制御（RRC）プロトコルは、エアインターフェース上のUMTSおよびLTEにおいて使用される。RRCは第3の層に位置し、ユーザ装置（UE）／無人航空機（UAV）とUMTS地上無線アクセスネットワーク（UTRAN）／進化型UMTS地上無線アクセスネットワーク(E-UTRAN)との間の信号を提供する。
【００５６】
RRCプロトコルの機能には、接続の確立および停止、ならびに指定されたコンポーネント間の接続の操作および制御が含まれる。要求されるQoS(quality of service)をサポートするために、受信契約者の装置へのいくつかの無線リンクは、同時にセットアップされる。
さらに、RRCプロトコルは、UTRAN / E-UTRANとユーザ装置との間のページング、ブロードキャストおよびメッセージ、送信電力制御ならびに暗号化を提供する。
【００５７】
RRCの操作は、UEが存在し得る特定の状態を定義する状態機械によってガイドされる。
【００５８】
図1aは、LTE規格に準拠したUE/UAVのRRC状態図を示す。このRRC状態図は、RRCアイドル状態101(RRC_idle)およびRRC接続状態102(RRC_connected)を含む。UEは、RRC接続が確立されると、RRC接続状態102にある。RRC接続が確立されていない場合、UEはRRCアイドル状態101にある。RRCアイドル状態101ではUE/UAVがEPC(Evolved Packet Core)においては既知であり、IPアドレスを有するが、E-UTRAN/eNB(LTE基地局)においては既知ではない。
UE/UAVは、RRCアイドル状態101で、ブロードキャストデータまたはマルチキャストデータを受信することができる。UE/UAVは、着信呼を検出するためにページングチャンネルを監視し、隣接セル測定を実行し、セル選択および再選択を実行し、システム情報を取得する。
RRC接続状態102では、UE/UAVは、5G COREおよびE-UTRAN/eNBの両方に既知である。UE/UAVの位置は、セルレベルにおいても既知である。モビリティは、UE/UAV支援型であり、ネットワーク制御型である。
LTE UE/UAVは、共有データチャンネルに関連する制御チャンネルを監視し、データが予定されているかどうかを確認する。また、チャンネル品質フィードバック情報が、測定後にUE/UAVによって提供される。また、UTRAN、E-UTRAN、およびGSMセルの隣接セル測定も実行する。
【００５９】
図1bは、5G New Radio(5GNR)におけるRRC状態を示す。RRCアイドル状態101およびRRC接続状態102に加えて、5G NRは、RRC休止状態103(RRC_inactive)と名付けられた他のRRC状態を含む。UE/UAVが電源投入されると、UE/UAVは、RRC休止状態103またはRRCアイドル状態101にあり、初期アタッチまたは接続確立を伴ってRRC接続状態102に移動することができる。
UE/UAVからのアクティビティが短期間ない場合、RRC休止状態103に移行することによってセッションを中断することができ、RRC接続状態102に移行するセッションを再開することができる。UE/UAVは、RRC接続102またはRRC休止状態103からRRCアイドル状態101に移動することができる(休止状態がコンテキストの初期設定を必要とするため、UE/UAVは、RRCアイドル状態101からRRC休止状態103に移動することができない)。
シグナリングコストを低減するために、UEは、RRC接続の代わりにRRC休止状態でいることができる。以下に説明する実施形態のページングメッセージ(図４のPAGING_MESSAGEを参照)は、RRC接続されたUE用の専用シグナリングの代わりに、新しいシステム情報(以下に説明する図4のUmbrella_SIBを参照)が配信されることをUEに通知するために、UEに到達することができる。
（地上のUE用のセルカバレッジ）
【００６０】
図２は、ここでは例示的なLTEアーキテクチャとして、地上のUE用のセルカバレージのためのネットワークアーキテクチャを開示する。このネットワークアーキテクチャは、UE 202と、3つのgNB 200a, 200b, 200cと、5Gコア203とを備える。
【００６１】
5Gコア203は、インターネット、プライベート企業ネットワークまたはIPマルチメディアサブシステムのような外部のパケットデータネットワークと通信する。5GNR用のUE 203の内部アーキテクチャは、実際にはモバイル機器(ME)であるUMTSおよびGSMによって使用されるものと同一である。
gNB 200a, 200b, 200cは、UEと5Gコアとの間の無線通信を処理する。各gNB 200a, 200b, 200cは、1つ以上のセル内のUEを制御する基地局である。UE 202と通信している基地局200cは、UE 202のサービングgNB 200cとして既知である。gNB 200cは、アナログおよびデジタル信号処理機能を使用して、すべてのUE 202との無線伝送を送受信する。各gNB 200は、ハンドオーバーコマンドのような信号メッセージを、すべてのUE 202に送信することによって、そのすべてのモバイル機器の低レベル動作を制御する。
（空中のセルカバレッジ）
【００６２】
セルラシステムは、地上UE用の各セルカバレッジが、接続モードにおけるハンドオーバーまたはアイドルモードにおけるセル選択/再選択のようなモビリティ管理のためのユニットとみなされるように、eNB/gNBを配置することにより設計される。地上UE用のこのセルカバレッジは、セル固有の参照信号(CRS)または共通参照信号の送信によって提供される静的なカバレッジとして扱われる。
【００６３】
UAVに対するエリアセルカバレッジは、地上UEに対するものと同様の静的カバレッジとなり得る。しかしながら、隣接セルへの干渉の最小化および無線リソースの効率的な使用の観点から、航空機用のエリアセルカバレッジは、動的な方法で提供される。
【００６４】
以下でより詳細に説明される実施形態では、用語「エリアセルカバレージ」が、eNB/gNBによって地上UEに提供される第１のカバレージ(すなわち「地上セルカバレージ」)に加えて、eNB/gNBによってUAVに提供される第２のカバレージ(「空中セルカバレージ」)を指すために使用される。
【００６５】
図３は、セルラシステムのために現在配備されている基地局に基づいて設計されているeNB/gNB 300が、地上UE用の通常のセルカバレージ(「地上セルカバレージ」)に加えて、UAV用の異なるタイプのセルカバレージ(「空中セルカバレージ」)を構築する実施形態を開示している。
図３において、eNB/gNB 300は、地上UE用のセルカバレージ320を地上UE302、303に提供し、eNB/gNB 300は、UAV用のセルカバレージ340を、UAVから成る航空機304に提供する。この「エリアセルカバレージ」は、飛行中の航空機304の高度306に応じて、eNB/gNB 300によって提供される様々なサイズのカバレージに対応することができる。
【００６６】
利用可能なセルの数は接続モードにおいて、航空機304の高度306によって決まるので、eNB/gNB 300および／または航空機304からの送信電力は、航空機304の高度に依存して制御される。例えば、eNB/gNB 300および／または航空機304からの送信電力は、eNB/gNB 300によって提供されるエリアセルカバレージのエリアが、航空機304の高度306にかかわらず、ほぼ同じサイズのままであるように制御される。
従って、航空機304の高度にかかわらず、モビリティ管理のための同一の配置体系が適用される。これは、効率的なモビリティが実行されるように、eNB/gNBが幾何学的に配備されることを可能にする。
【００６７】
UAVの多くは、GPSまたは任意の他の正確な測位機能のようなGNSS(Global Navigation Satellite System)を備えている。eNB/gNBによって提供されるエリアセルカバレージの動的制御を可能にするために、航空機304は、その高度(高さ)をeNB/gNB 300に報告することができる。
例えば、航空機304は、GPS(Global Positioning System)を介して測定された高度の値、または、圧力センサを介して測定された高度をeNB/gNB 300に報告することができる。eNB/gNB 300は、エリアセルカバレッジとeNB/gNBの調整位置との間の関係を格納するデータベースを有することができる。
例えば、サイト情報データベースは、セルID、eNB/gNB調整、セル半径、送信電力、アンテナ構成などを格納する。この情報は本来、地上セルカバレージのためのものであるが、エリアキャリアのために有用である。eNB/gNBが航空機の位置を受信すると、eNB/gNBは、データベース内の情報に従ってセルカバレッジエリアを計算する。
次に、eNB/gNBは、航空機が計算されたセルカバレッジエリア内にあるかどうかを確認する。あるいは、UEがネットワークから、その現在位置の隣接エリア内において、そのデータベースのサブセットを予め受信してもよい。例えば、このサイトデータベースは、すべてのeNB/gNB情報を収容することができる。
サイトデータベースは、UEに記憶するには大きすぎることがある。サイトデータベースは、現在の航空機位置と、ここでは「隣接エリア」と呼ばれる、最も近いeNB/gNBに隣接したeNB/gNBとから、最も近いeNB/gNBの情報を取り出す。
eNB/gNBは、データベースから航空機にこの選択されたeNB/gNB情報を送信することができる。航空機が、最も近いeNB/gNBおよびその隣接eNB/gNBのセルカバレッジを計算することもできる。これは「ゾーン」とも呼ばれる、計算されたセルカバレッジであってもよい。
【００６８】
したがって、上述のeNB/gNBは、UAVの最新の／正確な位置を有することができる。eNB/gNBは、MMEまたはUAVのロケーションサーバに位置情報を定期的に更新する。MME／ロケーションサーバは、この情報を航空管制の外部サーバに提供してもよい。逆に、外部サーバが、航空管制からMME経由でUAVに情報／方向を送信してもよい。
（RRC休止状態でのページング通知を使用したシステム情報（SI）の「ネットワークプッシュ」）
【００６９】
場合によっては、eNB/gNB 300が、RRC休止状態にあるUEにシステム情報(SI)をプッシュすることを要求されることがある。しかしながら、RRC休止状態にあるUE/UAVは、専用信号(例えば、Tdoc R2-1711510に記載されているようなネットワークプッシュ)によって宛がわれることができない。
したがって、以下でより詳細に説明する実施形態は、特定のUE/UAVにシステム情報を「プッシュ」する代替処理を提供する。特に、以下で説明する処理は、ブロードキャストチャネル上でシステム情報ブロック(SIB)の送信を組み合わせ、ページングメッセージによってSIBの送信について特定のUE/UAVに通知することによって、ネットワーク「プッシュ」を実現する。
【００７０】
既に上述したように、eNB/gNBは、RRC休止状態において、システム情報(SI)をUE/UAVにプッシュすることを要求されることがある。例えば、UAVの場合、ネットワークは、UAV操作をサポートするために、ある特定の情報、すなわち、RACH構成、測位支援情報、セル選択／再選択パラメータなどを配信する必要があり得る。
これは特に、ネットワークが、例えばそのアンテナ構成およびネットワーク負荷などに従って、サービスを動的にアクティブ化／非アクティブ化することを選択するときに必要とされる。
【００７１】
ネットワークで現在利用可能なサービスに加えて、将来導入される新しいサービスがあり得る。例えば、eNB/gNBは、測位支援情報または新しいシステム情報を、マルチメディアブロードキャストマルチキャストサービス(MBMS)またはデバイスツーデバイス通信(Device-to-Device communication)(D2D)などのフレームワーク内で、UEに配信することを要求され得る。
位置測位支援情報の場合、eNB/gNBは、関連する更新された、または、さらに新しい位置測位方式に関連する情報を、UEにプッシュする必要があり得る。新しいシステム情報をUEに配信するために、eNB/gNBは、特定のシステム情報、すなわち、新しいサービス、新しいサービスのためのセル再選択のような新しい操作、新しい周波数内の測定操作／構成などをプッシュすることができる。
【００７２】
eNB/gNBは、RRCアイドル状態(または休止状態)にあるUE/UAVまたはマシンタイプコミュニケーション(MTC)端末にシステム情報(SI)をプッシュすることを要求され得る。例えば、GNSSを有するアセット追跡デバイスは、通信なしでアイドルモードに留まることができる。新しい位置決め方式が利用可能である場合(例えば、プライベート構内／エリア内のビーコン信号)、eNB/gNBは、支援情報を、新しい位置決めシステムの機能を有するアイドル状態のUEにプッシュすることができる。
従来のシステムでは、情報が3PPプロトコルで予め定義された支援情報を必要とし、それ故に、融通の利くものではない。対照的に、ページングメッセージによってUEに通知することに基づくこの方法は、例えば、支援情報の後の定義を組み込むような融通性を提供することができる。
（システム情報を送信するための「包括的なSIB」）
【００７３】
以下に説明する実施形態によれば、eNB/gNBが新しいシステム情報(SI)をUEにプッシュできることをサポートするために、新しいタイプのシステム情報(ここでは「包括的なSIB」と呼ばれる)が、従来のSIBに追加される。包括的なSIBは例えば、新たなサービスのシステム情報、例えば、UE/UAV用の新たなシステム情報、測位のための新たなシステム情報、または、任意の他の将来導入されるサービスの新たなシステム情報を含むことができる。
新しいサービスおよび／または運用は、ネットワークにおいて徐々に開始されるが、事前に予測することはできない。包括的なSIBは、1つ以上の新たなSIBを追加し、各々の新たなSIBは、異なるサービスまたは異なる運用に関連している。包括的なSIBの概念は、eNB/gNBがネットワークによって新たに開始され、かつ、現在のSI構成においてまだ含まれていないサービスに対処することを可能にすることである。
【００７４】
従来のSI更新手順は、新しいサービスに対応する特定の事前定義されるSIBが存在しないので、包括的なSIBに直接適用することができない。以下により詳細に説明される実施形態によれば、新たなサービスおよびそれに対応する包括的なSIBが提供されることを1台以上のUEに通知するために、新たな信号方式が定義される。
この新しい信号方式は、ページングおよびブロードキャストのような従来の信号処理によって新しいコンテンツを提供することに基づいている。
（ネットワークプッシュにおけるメッセージフロー）
【００７５】
本明細書に記載された実施形態によれば、RRCページングメッセージは、新しいシステム情報に関する通知を運搬し、この新しいシステムは、次いで、包括的なSIBの形式で送信される。
【００７６】
図４は、ページングメッセージおよび包括的なSIBのブロードキャストを使用するシステム情報のネットワークプッシュに用いられるメッセージフローを概略的に示したものである。eNB/gNBは、UE/UAV(またはUE/UAVのグループ)にRRCページングメッセージを送信する。
このページングメッセージは、包括的なSIBの送信についてUE/UAVに通知するように構成されている。ページングメッセージは、UE/UAVが包括的なSIBを識別して読み込むことを可能にする情報を含む。ページングメッセージの受信後、UE/UAVは、ページングメッセージに含まれる情報に従って、ブロードキャストチャネルをリッスンして、包括的なSIBを受信する。
【００７７】
RRCページングメッセージは、eNB/gNBからUE/UAVに、例えば、PCCH論理チャネル、PCHトランスポートチャネル、およびPDSCH物理チャネルを使用して、または、直接指示情報を介して転送される。RRCページングメッセージは、RRC休止状態（RRC_INACTIVE）の、1台、複数台、またはすべてのUE/UAVに影響を与えることができる。
（ページングメッセージ）
【００７８】
図５は、ページングメッセージ(PAGING_MESSAGE)の内容を一例として示す。ページングメッセージは、情報要素(IE)として、Paging_record_list, Network_Push_SIB_Information, System_Information_Modificationフラグ, ETWS_Indicationフラグ, およびCMAS_Indicationフラグを含む。
Paging_record_listは、以下の図５に関してより詳細に説明されるように、最大16のページングレコードを含む。Network_Push_SIB_Paging_record_listは、以下の図６に関してより詳細に説明されるように、包括的なSIBの送信に関連する情報を含むレコードリストである。System_Information_Modificationフラグは、eNB/gNBによって生成され、UEに従来の一連のSIBを再取得させるために使用される。
ETWS_Indicationフラグ(ETWS = Earthquake and Tsunami Warning System)は、eNB/gNBによって生成される。このフラグは、UE/UAVにETWSコンテンツに関連するシステム情報を再取得させるために使用される。CMAS(Commercial Mobile Alert Service)フラグはeNB/gNBによって生成され、UE/UAVにCMASコンテンツに関連するシステム情報を再取得させるために使用される。
【００７９】
図6に情報要素Paging_record_listの一例を示す。このPaging_record_listは、従来のページングレコードリストに対応する。Paging_record_listは、この例に従って、16個のページングレコードPaging_record_1、Paging_record_2、...、paging_record_16を含む。各ページングレコードは、情報素子UE_Identityおよび情報素子Core_Network_domainを含む。
UE_Identityは、ページングメッセージが宛がわれるUEの識別子（ID）を定義する。Core_Network_Domainは、ページングメッセージがデータ転送用または着信SMS用の場合は、パケット交換(PS)を示し、Core_Network_Domainは、ページングメッセージがCSフォールバックサービス用、例えば、着信CS音声コールの場合は、回線交換(CS)値を示す。
【００８０】
図７は、包括的なSIBの送信に関連するNetwork_Push_SIB_Informationの一実施形態を示す。Network_Push_SIB_informationは、情報素子Service_indication、送信されるSIの構造を示す情報素子SIB-MappingInfo、情報素子SIB_validity_duration、情報素子SIB_Broadcast_timing、および情報素子Target_UE_Listを含む。
サービス表示メッセージ(Service_indication)には、包括的なSIB内のシステム情報の目的意義に関する情報が含まれる。Service_indicationは例えば、位置情報更新、UAV構成、または他の新たに配備されるサービスのような特定のサービスを参照する識別子である。ネットワークにおいてサポートされるサービスが最小のSIに含まれる場合、この情報は、数ビットのみが必要とされるように、そのサービスと相関される。
サービス情報が最小のSIに含まれない場合は、文字列型メッセージが必要とされ得る。SIB_MappingInfoは、プッシュされるSI(包括的なSIB)の構造に関する情報と、プッシュされるSI(包括的なSIB)のIDとを含む。SIB-MappingInfoの一実施形態が、図8と関連して以下に説明される。SIB有効期間メッセージ(SIB_validity_duration)は、プッシュされるSIの有効期間の情報を、例えばタイムスタンプまたは持続期間の形式で含む。
ネットワークは、以前のプッシュされたサービスおよび／またはSIBx関連の設定を無効にするために、追加の１ビットまたは特別な値を提供することも可能である。この場合、UEは、新たな包括的なSIBを受信し、以前に保存されたページングメッセージを削除する必要がある。
ブロードキャストタイミングメッセージ(SIB_Broadcast_timing)は、SIがいつ提供されるかに関する情報を含み、以下で図９aおよび図９bに関連してより詳細に説明される。さらに、Network_Push_SIB_Informationは、プッシュSIが送信されるUE/UAVを識別するTarget_UE_List IEを含む。Target_UE_List IEは、以下の図１０に関連してより詳細に説明される。
【００８１】
図８はSIB_MappingInfo IEの一実施形態を示し、各ビットは、特定の従来のSIB構造に関連する。SIB_MappingInfoは、(設定されている場合)SIB1構造を示すフラグSIB1_Structure_flagを含む。SIB_MappingInfoは、(設定されている場合)SIB2構造を示すフラグSIB2_Structure_flagを含む。SIB_MappingInfoは、設定されている場合、それぞれのSIB構造を示すSIB3_Structure_FlagからSIB11_Structure_Flagまでのフラグをさらに含む。
例えば、サービス表示が、サービスとしてUAV用の無線リソース設定を示す場合は、SIB_MappingInfoのSIB2_Structure_Flagが1に設定され、それ故にSIB2を参照する。包括的なSIBとして後に送信される情報は、SIB2構造に準拠する。サービス表示が、UAV用の周波数内／周波数間のセル再選択情報を示す場合は、SIB3_Structure_Flagが1に設定される。それ故に、SIB_MappingInfoは、SIB3構造を示し、後に包括的なSIBとして送信される情報は、SIB3構造に準拠する。
【００８２】
上の例では、包括的なSIBのプッシュSIが、対応する指定された従来のSIB内のIE、すなわちSIB2、SIB3等に適合する。しかしながら、プッシュSIが、新たに定義されたSI構造を含む新たに定義されたサービスに関連する場合、SIB_MappingInfo IEは省略され得る。つまり、SIB_MappingInfo IEはオプションである。
プッシュSIが新たに定義されたサービスに関連する場合、この新たなサービスに対応する新たなSI(包括的なSIB)の構造は、予め定義されてもよく、新たなサービスを識別するService_indication識別子に関連した他の手段によってUE/UAVに通信されてもよい。この情報は、この情報を受信した各UE/UAVによって記憶される。この情報を受信したUE/UAVは、その後Network_Push_SIB_InformationにおいてService_indication識別子を使用し、新しいサービスのSIB構造に関する事前に保存された情報を参照して、ネットワークプッシュSIを復号することができる。
【００８３】
図9aは、SIがいつ、どのくらい長く提供されるかに関する情報を含むSIB_Broadcast_timing IEの一実施形態を示す。本実施の形態によれば、ネットワークは、通知後すぐに包括的なSIBの送信を開始し、通知ページングメッセージは、持続時間のフォーマットでページングメッセージのブロードキャストライブ時間を含む。Broadcast_durationは、ブロードキャストの持続時間を示す情報要素Broadcast_durationを含む。
【００８４】
図9bは、SIがいつ、どのくらい長く提供されるかに関する情報を含むSIB_Broadcast_timing IEのさらなる一実施形態を示す。本実施形態によれば、ネットワークは、通知後の包括的なSIBの送信を遅延させる。ネットワークが通知後すぐに包括的なSIBを送信しないこの場合、SIB_Broadcast_timingメッセージには、ブロードキャストの持続時間を示すBroadcast_durationに加えて、ネットワークがいつ包括的なSIBの送信を開始するかを定義する情報Broadcast_start情報が含まれる。
【００８５】
図１０は、プッシュSIが送信されるUE/UAVを識別するTarget_UE_List情報要素の一実施形態を示す。Target_UE_Listは、包括的なSIBが宛がわれる最初のUEをRANレベルで識別する情報要素RAN_area_UE_ID_1を含む。RAN_area_UE_ID_2は、包括的なSIBが宛がわれる２番目のUEをRANレベルで識別する。RAN_area_UE_3は、包括的なSIBが宛がわれる３番目のUEをRANレベルで識別する。
例えば、ネットワークが特定のUEの特性を知っている場合、すなわち、UEが、要求の厳しい位置測位要件を備えるUAVであることを識別している場合、ネットワークは、ページングレコードリストの形式で、これらの特定のUEの対象UE識別情報(例えば、RANエリア内の各UEに対して割り当てられるRANエリアUE識別子)を、ページングメッセージに含めることができる。
次いで、ページングレコードリストにおいて割り当てられたUEのみが、対応するプッシュSI(包括的なSIB(複数可))を受信するようになされる。例えば、UEのRESUME_ID(RRC接続再開手続きに使用)は、RANレベルでUEを識別するためのRANエリアUE識別子として使用される。RANエリアは、単一または複数のセルをカバーすることができ、CNエリアよりも小さくすることができる。
【００８６】
Target_UE_Listはオプションである。代替実施形態によれば、ページングメッセージは、それらの特定のUEに対応するページングオケージョンにおいて送信され、Target_UE_Listは省略可能である。
【００８７】
図１１は、複数の包括的なSIBの送信に関連するNetwork_Push_SIB_Informationの一実施形態を示す。Network_Push_SIB_ Informationは、第１の包括的なSIB IE(Umbrella_SIB_1)と、第２の包括的なSIB IE(umbrella_SIB_2)とを含む。
各々の包括的なSIBは、それぞれの情報素子Service_indication、それぞれの情報素子SIB_structure、それぞれの情報素子SIB_validity_duration、それぞれの情報素子Broadcast_duration、および、それぞれの情報素子Target_UE_Listを含む。
【００８８】
例えば、Umbrella_SIB_1は、SIB 2 ベースの構造で位置決め情報を提供することができ、ここでSIB有効期間は１時間、ブロードキャスト期間は１０秒間、そして、このSIは、Umbrella_SIB_1 のTarget_UE_Listによって識別される第１のグループのUE/UAVを対象とする。
Umbrella_SIB_2 は、SIB 3 ベースの構造でUAVの周波数内／周波数間のセル再選択情報を提供でき、ここでSIB有効期間は２時間、ブロードキャスト期間は１秒、そして、このSIは、Umbrella_SIB_2 のTarget_UE_Listによって識別される第２のグループのUE/UAVを対象とする。
【００８９】
これらの実施形態は、ネットワークがUEコンテキスト情報を保持することができる、休止状態にあるUEの特性を利用することができ、したがって、UEの優先度を知ることができる。
（ネットワーク/ eNB / gNBの動作）
【００９０】
図１２は、ネットワーク/eNB/gNBプッシュシステム情報(SI)のプロセスを示す。ステップ701において、ネットワーク/eNB/gNBは、送信されるプッシュSIが関係するサービスに従って、Service_indication IEを決定する。ステップ702において、ネットワーク/eNB/gNBは、プッシュSIの構造を決定し、それに応じてSIB-MappingInfoのビットを設定する。
ステップ703において、ネットワーク/eNB/gNBは、SIB送信のタイミングおよび有効期間を決定し、それに応じてSIB_validity_durationおよびSIB_Broadcast_timingを設定する。ステップ704において、ネットワーク/eNB/gNBは、ネットワークプッシュSIが宛がわれる対象UE/UAVを決定し、それに応じてTarget_UE_Listを設定する。
ステップ705において、ネットワーク/eNB/gNBは、情報要素Service_indication、SIB-MappingInfo、SIB_validity_duration、SIB_Broadcast_timing、およびTarget_UE_Listを備えるページングメッセージを送信する。ステップ706において、ネットワーク/eNB/gNBは、SIB-MappingInfoにおいて定義されている構造を有する包括的なSIBを生成する。ステップ707において、network/eNB/gNBは、SIB_Broadcast_timingで定義されているタイミングで包括的なSIBを送信する。
包括的なSIBは例えば、SIB1にスケジューリング情報を含めることによって、かつ、それに応じて包括的なSIBの送信をスケジューリングすることによって、「通常の」SIBとして送信され得る。デルタ信号がサポートされてもよい。
【００９１】
包括的なSIBは、セル固有のものであってもよく、したがって、特別なサービス関連のSIを配信したいセルのみが送信を開始する。セル内のすべての休止状態のUE/UAVに宛がうために、ページングメッセージは、Paging_record_list(図５を参照)にリストされているページングオケージョンごとに送信されてもよい。
【００９２】
あるいは、包括的なSIBは、スライスにも同様に適用可能であり得る。各スライスは、いくつかのサービスを含むことができる。その場合、複数のSIBが含まれてもよい。したがって、複数のSIB情報を１つのページング通知に含めるか、複数のページングメッセージで送信するかは、ネットワークの実装次第である。
（UEの動作）
【００９３】
図１３は、UEがページングメッセージを受信する過程を示す。ステップ801で、UEはページングメッセージを受信する。ステップ802において、UEは、ページングメッセージからTarget_UE_Listを特定する。ステップ803において、UEは、そのUEがTarget_UE_Listに含まれているかどうかを確認する。「はい」の場合、UEはステップ804に進む。「いいえ」の場合、UEはそのページングメッセージを破棄する。
ステップ804において、UEは、ページングメッセージに含まれるService_indicationに基づいて、プッシュSIが関係するサービスのタイプを特定する。ステップ805において、UEは、そのUEがService_indicationによって定義されたサービスに関連するSIに関心があるかどうかを判定する。例えば、UEが位置測位能力を有する場合、UEは、位置測位に関連する包括的なSIBに関心があり得る。または、UEがUAVである場合、UAVに関連する包括的なSIBが受信され得る。
「はい」の場合、UEはステップ806に進む。「いいえ」の場合、UEはそのページングメッセージを破棄する。さらに、UEは、以前に同一の包括的なSIBを保存した可能性がある。例えば、UEが同一の包括的なSIBを保存しているかどうかを確認するために、UEは、SIB_MappingInfo情報要素(図７を参照)に提供される包括的なSIBのIDと、以前に保存された情報とを比較してもよい。
UEが既に利用可能なプッシュSIを有することを発見した場合、UEは、ステップ805でネットワークプッシュSI(包括的なSIB)の受信に関心がないと判定する。ステップ806において、UEは、ページングメッセージに含まれるSIB-MappingInfoを構文解析することによって、プッシュSIの構造を特定する。
ステップ807において、UEは、ページングメッセージからSIB_validity_durationおよびSIB_Broadcast_timingを特定する。ステップ808において、UEは、SIB_Broadcast_timingで定義されているタイミングで包括的なSIBを受信する。この包括的なSIBを受信した後、UEは、SIB_validity_durationで定義された有効期間を記録する。
（RRCアイドル状態およびRRC接続状態でのページング通知を使用したシステム情報（SI）の「ネットワークプッシュ」）
【００９４】
上述の実施形態は、RRC休止状態におけるページング通知を使用するシステム情報(SI)の「ネットワークプッシュ」を説明する。同じ原理を使用して、RRCアイドル状態およびRRC接続状態のUEにシステム情報(SI)をプッシュすることもできる。
【００９５】
RRCアイドル状態のUEの場合、ネットワークはアイドル状態のUEの優先度情報(RANエリアUE識別子)を有さないため、対象UEリストを含めることはできない。対象UEリストはオプションであり、この場合は送信されない。
RRC接続状態のUEの場合、ページングメッセージは、それらの特定のUEに対応するページングオケージョンにおいて送信することによって、特定のUEに宛がわれる。
（実装）
【００９６】
図１４は、UE/UAV 800とeNB/gNB 810との間の通信経路の概略ブロック図を示す。図１４に示すように、UE/UAVは、送信機801と、受像機802と、eNB/gNBへの信号の送信および受信を制御するためのコントローラ803とを含む。上りリンク信号が、矢印860によって表されている。下りリンク信号が、矢印850によって示されている。
eNB/gNB 810は、送信機811と、受像機812と、無線アクセスインターフェースに従って下りリンクおよび上りリンク上の信号の送信および受信をスケジューリングするためのスケジューラを含むコントローラ813とを含む。
【００９７】
図１５を参照して、コントローラ900の一実施形態を説明する。このコントローラ900は、本明細書で説明するように、任意のタイプの装置またはエンティティ、基地局または新しい無線基地局、送受信点、若しくはユーザ装置として基本的に機能することができるように実装される。
したがって、コントローラ900は、図１４のコントローラ803またはコントローラ813として動作することができる。コントローラ900は、本明細書に記載されるように、エンティティ、基地局、およびユーザ装置の回路のうちのいずれか１つの回路を構成することができる構成要件931〜940を有する。
【００９８】
本明細書に記載されている方法を実行するためのソフトウェア、ファームウェア、プログラム等を使用する実施形態は、コントローラ900にインストールすることができ、コントローラ900は、次いで、具体的な実施形態に適するように構成される。
【００９９】
コントローラ900は、本明細書に記載された様々なタイプの手順および方法を、例えば、それぞれのドライブ939に挿入可能な記録媒体940に記憶されたプログラムが、読取型メモリ(ROM)932に記憶され、ストレージ937に保存され、そして、ランダムアクセスメモリ(RAM)933にロードされたそのプログラムに従って、実行することができるCPU 931(中央処理ユニット)を有する。
【０１００】
CPU 931、ROM 932およびRAM 933には、入出力インターフェース934に接続されたバス941が接続されている。CPU、メモリ、およびストレージの数は、例示に過ぎず、当業者は、コントローラ900が、基地局、およびユーザ装置として機能するときに生じる特定の要件を満たすために、それに応じて適合され、構成され得ることを理解するであろう。
【０１０１】
入出力インターフェース934には、入力部935、出力部936、ストレージ937、通信インターフェース938、および、記録媒体940(コンパクトディスク、デジタルビデオディスク、コンパクトフラッシュメモリなど)が挿入されるドライブ939のような複数の構成要件が接続されている。
【０１０２】
入力部935は、ポインタデバイス(マウス、記号表など)、キーボード、マイクロフォン、カメラ、タッチスクリーンなどとすることができる。出力部936は、ディスプレイ(液晶ディスプレイ、ブラウン管ディスプレイ装置、発光ダイオードディスプレイ等)、スピーカ等を有することができる。ストレージ937は、ハードディスク、ソリッドステートドライブ等を有することができる。
【０１０３】
通信インターフェース938は例えば、ローカルエリアネットワーク(LAN)、無線ローカルエリアネットワーク(WLAN)、移動電気通信システム(GSM、UMTS、LTEなど)、Bluetooth（登録商標）、赤外線などを介して通信するように構成することができる。コントローラ900が基地局として機能する場合、通信インターフェース938は、それぞれのエアインターフェース(例えば、E-UTRAプロトコルOFDMA(下りリンク)およびSC-FDMA(上りリンク)を提供)、および、ネットワークインターフェース(例えば、S1-AP、GTP-U、S1-MME、X2-APなどのプロトコルを実装)をさらに有することができる。
さらに、コントローラ900は、1つ以上のアンテナおよび／またはアンテナアレイを有することができる。本開示は、そのようなプロトコルのいかなる特殊性にも限定されない。
【０１０４】
上述した実施形態は、方法ステップの例示的な順序付けを伴う方法を説明していることを理解されたい。しかしながら、この方法ステップの特定の順序付けは、例示のみを目的として与えられており、拘束力のあるものとして解釈されるべきではない。例えば、図１２の処理ステップ701〜704および図１３の処理ステップの順序は、変更されてもよい。方法ステップの順序の他の変更も、当業者には明らかであろう。
【０１０５】
また、図１５の制御または回路をユニット931〜940に分割することは例示の目的のためだけに行われ、本開示は特定のユニットにおける機能のいかなる特定の分割にも限定されないことにも留意されたい。例えば、回路の少なくとも一部は、それぞれプログラムされたプロセッサ、フィールドプログラマブルゲートアレイ(FPGA)、専用回路等によって実現することができる。
【０１０６】
本明細書に記載され、添付の特許請求の範囲に主張されるすべてのユニットおよびエンティティは別段の記載がない限り、例えばチップ上の集積回路ロジックとして実装することができ、そのようなユニットおよびエンティティによって提供される機能は別段の記載がない限り、ソフトウェアによって実装することができる。
【０１０７】
上述の開示した実施形態が少なくとも部分的に、ソフトウェア制御されたデータ処理装置を使用して実施される限り、そのようなソフトウェア制御および送信を提供するコンピュータプログラム、および、そのようなコンピュータプログラムが提供されるストレージまたは他の媒体が、本開示の態様として想定されることが理解される。
【０１０８】
なお、本技術は、以下のような構成も取ることができる。
（１）ユーザ装置(202; 302, 303, 304)にページングメッセージ(PAGING_MESSAGE)を送信するように構成された回路を具備するインフラ機器(200; 300)であって、上記ページングメッセージ(PAGING_MESSAGE)は、上記インフラ機器(200; 300)が上記ユーザ装置(202; 302, 303, 304)にシステム情報(Umbrella_SIB)を送信することを、上記ユーザ装置(202; 302, 303, 304)に通知するために提供される情報(Network_Push_SIB_Information)を含む
インフラ機器(200; 300)。
（２）（１）に記載のインフラ機器(200; 300)であって、
上記回路は、RRC休止状態(103)にある上記ユーザ装置(202; 302, 303, 304)に上記ページングメッセージ(PAGING_MESSAGE)をブロードキャストするように構成される
インフラ機器(200; 300)。
（３）（１）または（２）に記載のインフラ機器(200; 300)であって、
上記回路は、RRCアイドル状態(101)にある上記ユーザ装置(202; 302, 303, 304)に上記ページングメッセージ(PAGING_MESSAGE)をブロードキャストするように構成される
インフラ機器(200; 300)。
（４）（１）から（３）のいずれか１つに記載のインフラ機器(200; 300)であって、
上記回路は、RRC接続状態(102)にある上記ユーザ装置(202; 302, 303, 304)に上記ページングメッセージ(PAGING_MESSAGE)をブロードキャストするように構成される
インフラ機器(200; 300)。
（５）（１）から（４）のいずれか１つに記載のインフラ機器(200; 300)であって、
上記情報(Network_Push_SIB_Information)は、サービス表示情報(Service_indication)を含む
インフラ機器(200; 300)。
（６）（１）から（５）のいずれか１つに記載のインフラ機器(200; 300)であって、
上記情報(Network_Push_SIB_Information)は、SIB構造情報(SIB_structure)を含む
インフラ機器(200; 300)。
（７）（１）から（６）のいずれか１つに記載のインフラ機器(200; 300)であって、
上記情報(Network_Push_SIB_Information)は、SIB有効期間情報(SIB_validity_duration)を含む
インフラ機器(200; 300)。
（８）（１）から（７）のいずれか１つに記載のインフラ機器(200; 300)であって、
上記情報(Network_Push_SIB_Information)は、ブロードキャスト期間情報(Broadcast_duration)を含む
インフラ機器(200; 300)。
（９）（１）から（８）のいずれか１つに記載のインフラ機器(200; 300)であって、
上記情報(Network_Push_SIB_Information)は、ターゲットリスト情報(Target_UE_List)を含む
インフラ機器(200; 300)。
（１０）（１）から（９）のいずれか１つに記載のインフラ機器(200; 300)であって、
上記回路は、上記ユーザ装置(202; 302, 303, 304)に、上記ページングメッセージ(PAGING_MESSAGE)内の上記上記情報(Network_Push_SIB_Information)に対応するシステム情報(Umbrella_SIB)を送信するように構成される
インフラ機器(200; 300)。
（１１）（１）から（１０）のいずれか１つに記載のインフラ機器(200; 300)であって、
上記回路は、包括的なSIBの形式でシステム情報(SIB)を送信するように構成される
インフラ機器(200; 300)。
（１２）（１）から（１１）のいずれか１つに記載のインフラ機器(200; 300)であって、
上記包括的なSIBは、新しいサービスに関連するシステム情報を含む
インフラ機器(200; 300)。
（１３）インフラ機器(200; 300)からページングメッセージ(PAGING_MESSAGE)を受信するように構成された回路を具備する電子デバイス(202; 302, 303, 304)であって、上記ページングメッセージ(PAGING_MESSAGE)は、上記インフラ機器(200; 300)が上記電子デバイス(202; 302, 303, 304)にシステム情報(Umbrella_SIB)を送信することを、上記電子デバイス(202; 302, 303, 304)に通知するために提供される情報(Network_Push_SIB_Information)を含む
電子デバイス(202; 302, 303, 304)。
（１４）（１３）に記載の電子デバイス(202; 302, 303, 304)であって、
上記電子デバイス(202; 302, 303, 304)がRRC休止状態(103)にある
電子デバイス(202; 302, 303, 304)。
（１５）（１３）または（１４）に記載の電子デバイス(202; 302, 303, 304)であって、
上記回路は、上記ページングメッセージ(PAGING_MESSAGE)内の上記上記情報(Network_Push_SIB_Information)に対応するシステム情報(Umbrella_SIB)を受信するように構成される
電子デバイス(202; 302, 303, 304)。
（１６）（１３）から（１５）のいずれか１つに記載の電子デバイス(202; 302, 303, 304)であって、
上記回路は、包括的なSIB(Umbrella_SIB)の形式でシステム情報(SIB)を受信するように構成される
電子デバイス(202; 302, 303, 304)。
（１７）（１３）から（１６）のいずれか１つに記載の電子デバイス(202; 302, 303, 304)であって、
上記電子デバイス(304)は、無人航空機である
電子デバイス(202; 302, 303, 304)。
（１８）インフラ機器(200; 300)からユーザ装置(202; 302, 303, 304)にページングメッセージ(PAGING_MESSAGE)を送信することを含む方法であって、上記ページングメッセージ(PAGING_MESSAGE)は、上記インフラ機器(200; 300)が上記ユーザ装置(202; 302, 303, 304)にシステム情報(Umbrella_SIB)を送信することを、上記ユーザ装置(202; 302, 303, 304)に通知するために提供される情報(Network_Push_SIB_Information)を含む
方法。
（１９）プロセッサおよび／または回路上で実行されるときに、上記プロセッサおよび／または上記回路に、（１８）に記載の方法を実行させる
コンピュータプログラム。
（２０）プロセッサおよび／または回路上で実行されるときに、上記プロセッサおよび／または上記回路に、（１８）に記載の方法を実行させるコンピュータプログラム製品を記憶する
非一時的なコンピュータ可読記録媒体。
【図１】
2021514586.tif 000003
【図２】
2021514586.tif 000004
【図３】
2021514586.tif 000005
【図４】
2021514586.tif 000006
【図５】
2021514586.tif 000007
【図６】
2021514586.tif 000008
【図７】
2021514586.tif 000009
【図８】
2021514586.tif 000010
【図９】
2021514586.tif 000011
【図１０】
2021514586.tif 000012
【図１１】
2021514586.tif 000013
【図１２】
2021514586.tif 000014
【図１３】
2021514586.tif 000015
【図１４】
2021514586.tif 000016
【図１５】
2021514586.tif 000017
【国際調査報告】
2021514586.tif 000018
2021514586.tif 000019